(57)【要約】  本願は、物流及び流通におけるデータを処理する方法及び機器並びに宅配業者の携帯端末ベースの物流及び流通の方法及び機器を提供する。物流及び流通におけるデータを処理する方法は、事前設定された期間に物流運送状を受信し、物流運送状を分析して物流運送状の配達情報を取得することと、物流運送状の配達先住所情報と事前設定された集約宛先との間の距離的関係に基づいて物流運送状を集約して物流運送状集合を形成することと、各物流運送状集合に対して、物流運送状集合に含まれる物流運送状の配達情報及び物流運送状集合に対応する事前設定された集約宛先とに基づいて宅配業者情報データベースを検査して、事前設定された選別条件を満たす宅配業者を取得することと、物流運送状集合の情報を宅配業者へ送信することと、を含む。本願は、物流及び流通における配達コストを削減し、農村部向けの物流及び流通の解決策を提供する。さらに、本願は宅配業者の配達サービスを評価する方法を提供する。
2019513253.tif 000002
【特許請求の範囲】
【請求項１】
物流及び流通におけるデータを処理する方法であって、
事前設定された期間に物流運送状のデータを受信することと、
前記物流運送状のデータを分析して、配達物属性情報、配達先住所情報及び時間情報を含む前記物流運送状の配達情報を取得することと、
前記物流運送状の前記配達先住所情報と事前設定された行政区レベルの住所に対応する事前設定された集約宛先との間の距離的関係に基づいて前記物流運送状を集約して物流運送状集合を形成し、各物流運送状集合が１つ以上の物流運送状を含むとともに１つの事前設定された集約宛先に対応するように、集約することと、
各物流運送状集合に対して、前記物流運送状集合に含まれる前記物流運送状の前記配達情報及び前記物流運送状集合に対応する前記事前設定された集約宛先に基づいて宅配業者情報データベースを検査して、事前設定された選別条件を満たす宅配業者を取得することと、
前記物流運送状集合の情報を前記物流運送状集合に対して選別された前記宅配業者へ送信することと、
を含む方法。
【請求項２】
前記事前設定された行政区レベルの住所が郷級、鎮級、又は村級を含む、請求項１に記載の物流及び流通におけるデータを処理する方法。
【請求項３】
前記事前設定された集約宛先は具体的には物流サービスステーションが設置された住所であり、前記物流サービスステーションは前記物流運送状の配達物を受け取り、保管し、発送するためのサービス組織である、請求項１に記載の物流及び流通におけるデータを処理する方法。
【請求項４】
前記物流運送状の前記配達先住所情報と事前設定された行政区レベルの住所に対応する事前設定された集約宛先との間の距離的関係に基づいて前記物流運送状を集約して物流運送状集合を形成する、前記集約が
前記物流運送状の前記配達先住所情報と前記事前設定された行政区レベルの住所に対応する前記事前設定された集約宛先との間の距離に基づいて前記物流運送状の配達先住所に最も近い前記事前設定された集約宛先へ前記物流運送状を集約して前記物流運送状集合を形成すること、
を含む、請求項１に記載の物流及び流通におけるデータを処理する方法。
【請求項５】
前記宅配業者は具体的には前記宅配業者情報データベースに登録された貨物輸送運転手であり、前記貨物輸送運転手はサードパーティの貨物輸送運転手及び独立経営の貨物輸送運転手を含む、請求項１に記載の物流及び流通におけるデータを処理する方法。
【請求項６】
前記宅配業者情報データベースが、前記宅配業者の地理的位置情報及び前記宅配業者の運搬用機材の属性情報を含むデータベースを含む、請求項１に記載の物流及び流通におけるデータを処理する方法。
【請求項７】
各物流運送状集合に対して、前記物流運送状集合に含まれる前記物流運送状の前記配達情報及び前記物流運送状集合に対応する前記事前設定された集約宛先に基づいて宅配業者情報データベースを検査して、事前設定された選別条件を満たす宅配業者を取得するステップの前に、
前記サードパーティの貨物輸送運転手の登録情報を受信して、前記登録情報内の配達関連情報を承認後に前記宅配業者情報データベースへ登録するステップ
を含む、請求項５に記載の物流及び流通におけるデータを処理する方法。
【請求項８】
前記サードパーティの貨物輸送運転手の前記登録情報は、前記サードパーティの貨物輸送運転手の個人属性情報及び輸送資格情報、並びに前記サードパーティの貨物輸送運転手の運搬用機材の属性情報及び輸送資格情報を含む、請求項７に記載の物流及び流通におけるデータを処理する方法。
【請求項９】
前記登録情報内の前記配達関連情報は前記サードパーティの貨物輸送運転手の運搬用機材の属性情報を含む、請求項７に記載の物流及び流通におけるデータを処理する方法。
【請求項１０】
各物流運送状集合に対して、前記物流運送状集合に含まれる前記物流運送状の前記配達情報及び前記物流運送状集合に対応する前記事前設定された集約宛先に基づいて宅配業者情報データベースを検査して、事前設定された選別条件を満たす宅配業者を取得するステップの前に、
前記宅配業者によりリアルタイムで送信された前記宅配業者の地理的位置情報を受信して、前記宅配業者情報データベース内の前記宅配業者の地理的位置情報を更新すること、
を含む、請求項１に記載の物流及び流通におけるデータを処理する方法。
【請求項１１】
各物流運送状集合に対して、前記物流運送状集合に含まれる前記物流運送状の前記配達情報及び前記物流運送状集合に対応する前記事前設定された集約宛先に基づいて宅配業者情報データベースを検査して、事前設定された選別条件を満たす宅配業者を取得する、前記検査が、
事前設定された距離選別条件に基づき、前記宅配業者の地理的位置情報及び前記物流運送状集合に対応する前記事前設定された集約宛先の情報に基づいて前記宅配業者情報データベースを検査して、距離的に選択可能な宅配業者を取得すること、
を含む、請求項１に記載の物流及び流通におけるデータを処理する方法。
【請求項１２】
前記事前設定された距離選別条件が、具体的には前記宅配業者の地理的位置から前記事前設定された集約宛先への距離が事前設定された範囲内となっていることである、請求項１１に記載の物流及び流通におけるデータを処理する方法。
【請求項１３】
各物流運送状集合に対して、前記物流運送状集合に含まれる前記物流運送状の前記配達情報及び前記物流運送状集合に対応する前記事前設定された集約宛先に基づいて宅配業者情報データベースを検査して、事前設定された選別条件を満たす宅配業者を取得する、前記検査が、
事前設定された容積及び重量の選別条件に基づき、前記物流運送状集合に含まれる前記物流運送状の前記配達物属性情報及び運搬用機材の属性情報に基づいて前記距離的に選択可能な宅配業者を選別して、輸送能力的に選択可能な宅配業者を取得すること、
を含む、請求項１１に記載の物流及び流通におけるデータを処理する方法。
【請求項１４】
各物流運送状集合に対して、前記物流運送状集合に含まれる前記物流運送状の前記配達情報及び前記物流運送状集合に対応する前記事前設定された集約宛先に基づいて宅配業者情報データベースを検査して、事前設定された選別条件を満たす宅配業者を取得する、前記検査が、
宅配業者の配達サービスを評価するための事前設定された方法に基づき、宅配業者の配達サービスの評価を取得して、前記輸送能力的に選択可能な宅配業者を前記宅配業者の配達サービスの評価のスコアの降順でランク付けすることと、
前記物流運送状集合内の前記物流運送状の配達物の価値が価値の上限値を上回るかどうか計算して、上回る場合は前記輸送能力的に選択可能な宅配業者の中で第１位に位置付けられる独立経営の貨物輸送運転手を前記宅配業者として選択し、そうでない場合は、前記輸送能力的に選択可能な宅配業者の中で第１位に位置付けられる貨物輸送運転手を前記選別された宅配業者として選択することと、
を含む、請求項１３に記載の物流及び流通におけるデータを処理する方法。
【請求項１５】
前記物流運送状集合の前記情報が、前記物流運送状集合に含まれる前記物流運送状の前記配達情報及び前記物流運送状集合に対応する前記事前設定された集約宛先の情報を含む、請求項１に記載の物流及び流通におけるデータを処理する方法。
【請求項１６】
前記宅配業者が前記物流運送状集合内の前記物流運送状の配達を完了したというフィードバック情報を受信する、前記受信が、前記宅配業者が前記事前設定された集約宛先への前記物流運送状の前記配達物の配達を完了したことを前記フィードバック情報が示す場合は、前記物流運送状の受領者へ、前記事前設定された集約宛先に行って前記物流運送状の前記配達物を受け取るように前記受領者に指示する情報を送信することを含む、請求項１に記載の物流及び流通におけるデータを処理する方法。
【請求項１７】
前記宅配業者が前記物流運送状集合内の前記物流運送状の配達を受諾するというフィードバック情報を受信するステップの後に、
前記宅配業者が前記物流運送状集合内の前記物流運送状の配達を完了したというフィードバック情報を受信すること、
を含む、請求項１に記載の物流及び流通におけるデータを処理する方法。
【請求項１８】
前記宅配業者が前記物流運送状集合内の前記物流運送状の配達を完了したというフィードバック情報を受信するステップの後に、
前記宅配業者によって配達された前記物流運送状に対する配達料金を計算して決済すること、
を含む、請求項１７に記載の物流及び流通におけるデータを処理する方法。
【請求項１９】
前記宅配業者によって配達された前記物流運送状に対する配達料金を計算して決済する、前記計算及び決済は、前記配達料金の情報を前記宅配業者へ送信することを含む、請求項１８に記載の物流及び流通におけるデータを処理する方法。
【請求項２０】
前記データ処理方法が県級から村級への物流及び流通に使用される、請求項１〜１９のいずれか一項に記載の物流及び流通におけるデータを処理する方法。
【請求項２１】
物流及び流通におけるデータを処理する機器であって、
事前設定された期間に物流運送状のデータを受信するよう構成された物流運送状データ取得部と、
前記物流運送状のデータを分析して、配達物属性情報、配達先住所情報及び時間情報を含む前記物流運送状の配達情報を取得するよう構成された物流運送状配達情報取得部と、
前記物流運送状の前記配達先住所情報と事前設定された行政区レベルの住所に対応する事前設定された集約宛先との間の距離的関係に基づいて前記物流運送状を集約して物流運送状集合を形成し、各物流運送状集合が１つ以上の物流運送状を含むとともに１つの事前設定された集約宛先に対応するように集約を行うよう構成された物流運送状集合構築部と、
各物流運送状集合に対して、前記物流運送状集合に含まれる前記物流運送状の前記配達情報及び前記物流運送状集合に対応する前記事前設定された集約宛先に基づいて宅配業者情報データベースを検査して、事前設定された選別条件を満たす宅配業者を取得するよう構成された宅配業者選別部と、
前記物流運送状集合の情報を前記物流運送状集合に対して選別された前記宅配業者へ送信するよう構成された物流運送状集合送信部と、
を備える機器。
【請求項２２】
物流及び流通におけるデータを処理する電子装置であって、
表示装置と、
プロセッサと、
データを送信するためのプログラムを記憶するよう構成されたメモリと、を備え、前記プログラムが前記プロセッサにより読み出され実行された際に以下の動作、すなわち、事前設定された期間に物流運送状のデータを受信することと、前記物流運送状のデータを分析して配達物属性情報、配達先住所情報、及び時間情報を含む前記物流運送状の配達情報を取得することと、前記物流運送状の前記配達先住所情報と事前設定された行政区レベルの住所に対応する事前設定された集約宛先との間の距離的関係に基づいて前記物流運送状を集約して物流運送状集合を形成し、各物流運送状集合が１つ以上の物流運送状を含むとともに１つの事前設定された集約宛先に対応するように集約を行うことと、各物流運送状集合に対して、前記物流運送状集合に含まれる前記物流運送状の前記配達情報及び前記物流運送状集合に対応する前記事前設定された集約宛先とに基づいて宅配業者情報データベースを検査して、事前設定された選別条件を満たす宅配業者を取得することと、前記物流運送状集合の情報を前記物流運送状集合に対して選別された前記宅配業者へ送信することと、前記宅配業者が前記物流運送状集合内の物流運送状の配達を受諾するというフィードバック情報を受信することと、を行う、電子装置。
【請求項２３】
宅配業者の配達サービスを評価する方法であって、
前記宅配業者の物流運送状の配達についての履歴記録情報を取得することと、
前記履歴記録情報に基づき前記宅配業者の配達行動情報データを取得することと、
前記配達行動情報データに対し、事前設定された寸法に基づいて分類計算を行って単一クラスの配達行動定量評価値を取得し、各クラスの重みの値を設定することと、
前記単一クラスの配達行動定量評価値及び異なるクラスの前記重みの値を使って加重計算を行い、前記宅配業者の配達サービス評価データを取得することと、
を含む方法。
【請求項２４】
前記宅配業者の前記配達行動情報データは、配達物属性統計データ、配達行動評価データ、及び配達適時性データを含む、請求項２３に記載の宅配業者の配達サービスを評価する方法。
【請求項２５】
前記配達行動情報データに対し、事前設定された寸法に基づいて分類計算を行って単一クラスの配達行動定量評価値を取得することが、
前記配達行動情報データ内の前記宅配業者が引き受けた物流運送状の量に基づいて前記宅配業者の運送状総量を算出することと、
前記配達行動情報データ内の前記宅配業者により無事配達された物流運送状の量及び前記宅配業者の前記運送状総量に基づいて前記宅配業者の運送状当たりの平均配達可能率を算出することと、
物流運送状の配達を完了するのに前記宅配業者が費やした時間及び前記配達行動情報データ内の無事配達された前記物流運送状の量に基づいて前記宅配業者の運送状当たりの平均完了時間を算出することと、
前記宅配業者により無事配達された前記物流運送状の配達物の価値及び前記配達行動情報データ内の前記宅配業者により無事配達された前記物流運送状の量に基づいて、前記宅配業者の運送状当たりの平均品物価値を算出することと、
を含む、請求項２３に記載の宅配業者の配達サービスを評価する方法。
【請求項２６】
前記単一クラスの配達行動定量評価値及び異なるクラスの前記重みの値を使って加重計算を行い、前記宅配業者の配達サービス評価データを取得することが、
包括的採点方法に基づき、前記宅配業者の前記運送状総量、前記運送状当たりの平均配達可能率、前記運送状当たりの平均完了時間、及び前記運送状当たりの平均品物価値に対して対応する評価基準に基づいて個別スコアを授与し、前記異なるクラスの前記重みの値に基づいて前記個別スコアに対して加重加算を行って合計スコアを得て、前記合計スコアを前記宅配業者の配達サービスの評価として使用すること、
を含む、請求項２３に記載の宅配業者の配達サービスを評価する方法。
【請求項２７】
前記対応する評価基準が、
前記宅配業者の前記運送状総量が大きいほど、前記宅配業者の前記運送状総量の前記個別スコアが高くなることと、
前記宅配業者の前記運送状当たりの平均配達可能率が高いほど、前記宅配業者の前記運送状当たりの平均配達可能率の前記個別スコアが高くなることと、
前記宅配業者の前記運送状当たりの平均完了時間が短いほど、前記宅配業者の前記運送状当たりの平均完了時間の前記個別スコアが高くなることと、
前記宅配業者の前記運送状当たりの平均品物価値が高いほど、前記宅配業者の前記運送状当たりの平均品物価値の前記個別スコアが高くなることと、
を含む、請求項２６に記載の宅配業者の配達サービスを評価する方法。
【請求項２８】
前記異なるクラスの前記重みの値が、
前記宅配業者の前記運送状総量の前記個別スコア及び前記宅配業者の前記運送状当たりの平均配達可能率の前記個別スコアの前記重みの値は、前記宅配業者の前記運送状当たりの平均完了時間の前記個別スコア及び前記宅配業者の前記運送状当たりの平均品物価値の前記個別スコアの前記重みの値の４倍であること、
を含む、請求項２６に記載の宅配業者の配達サービスを評価する方法。
【請求項２９】
前記宅配業者により無事配達された前記物流運送状の量を算出する方法は、前記宅配業者により配達された前記物流運送状が実際に署名される度に、前記宅配業者により無事配達された前記物流運送状の量を１だけインクリメントすることである、請求項２５に記載の宅配業者の配達サービスを評価する方法。
【請求項３０】
物流運送状の配達を完了するのに前記宅配業者が費やした時間及び前記配達行動情報データ内の無事配達された前記物流運送状の量に基づいて前記宅配業者の運送状当たりの平均完了時間を算出する特定の方法が、前記宅配業者により配達された前記物流運送状が実際に署名された時点と前記宅配業者が前記物流運送状を引き受けた時点との間の差分を算出して前記宅配業者の配達完了時間を取得することと、前記宅配業者により無事配達された前記物流運送状の前記総量に対する前記宅配業者の配達完了時間の合計の比率を算出して前記運送状当たりの平均完了時間を取得することと、である、請求項２５に記載の宅配業者の配達サービスを評価する方法。
【請求項３１】
宅配業者の配達サービスを評価する機器であって、
前記宅配業者の物流運送状についての履歴記録情報を取得するよう構成された履歴記録情報取得部と、
前記履歴記録情報に基づき前記宅配業者の配達行動情報データを取得するよう構成された行動情報データ取得部と、
前記配達行動情報データに対し、事前設定された寸法に基づいて分類計算を行って単一クラスの配達行動定量評価値を取得し、各クラスの重みの値を設定するよう構成された定量評価値算出部と、
前記単一クラスの配達行動定量評価値及び異なるクラスの前記重みの値を使って加重計算を行い、前記宅配業者の配達サービス評価データを取得するよう構成された配達評価算出部と、
を備える機器。
【請求項３２】
宅配業者の携帯端末ベースの物流及び流通の方法であって、
前記宅配業者の携帯端末を使用して、事前設定された物流データセンタにより送信された物流運送状集合の情報を受信することと、
前記宅配業者の前記携帯端末を使用して、前記物流運送状集合の前記情報に対応する運送状受諾情報を前記事前設定された物流データセンタへ送信することと、
前記物流運送状集合の前記受信した情報の中の、物流運送状の配達情報及び前記物流運送状集合に対応する事前設定された集約宛先の情報に基づいて、前記物流運送状の配達物の引き取り及び配達のためのデータ処理を行うことと、
を含む方法。
【請求項３３】
前記宅配業者の前記携帯端末は、事前設定されたモバイルプラットフォームにアプリケーションソフトの形でインストールされている、請求項３２に記載の宅配業者の携帯端末ベースの物流及び流通の方法。
【請求項３４】
前記宅配業者の携帯端末を使用して、事前設定された物流データセンタにより送信された物流運送状集合の情報を受信するステップの前に、
前記宅配業者の前記携帯端末を使用して、サードパーティの貨物輸送運転手の登録情報を前記事前設定された物流データセンタへ送信すること、
を含む、請求項３２に記載の宅配業者の携帯端末ベースの物流及び流通の方法。
【請求項３５】
前記宅配業者の携帯端末を使用して、事前設定された物流データセンタにより送信された物流運送状集合の情報を受信するステップの前に、
前記宅配業者の前記携帯端末を使用して、前記宅配業者の地理的位置情報をリアルタイムで前記事前設定された物流データセンタへ送信すること、
を含む、請求項３２に記載の宅配業者の携帯端末ベースの物流及び流通の方法。
【請求項３６】
前記物流運送状集合の前記受信した情報の中の物流運送状の配達情報及び前記物流運送状集合に対応する事前設定された集約宛先の情報に基づいて、前記物流運送状の配達物の引き取り及び配達のためのデータ処理を行う、前記データ処理が、
前記物流運送状集合の前記受信した情報の中の、前記物流運送状集合に含まれる物流運送状の配達情報、及び前記物流運送状集合に対応する事前設定された集約宛先の情報に基づいて、前記物流運送状の前記配達物の引き取り、及び前記物流運送状の前記配達物を前記事前設定された集約宛先へ配達するためのデータ処理を行うこと、
を含む、請求項３２に記載の宅配業者の携帯端末ベースの物流及び流通の方法。
【請求項３７】
前記物流運送状集合の前記受信した情報の中の物流運送状の配達情報及び前記物流運送状集合に対応する事前設定された集約宛先の情報に基づいて、前記物流運送状の配達物の引き取り及び配達のためのデータ処理を行う、前記データ処理が、
前記物流運送状集合の前記受信した情報の中の、前記物流運送状集合に含まれる物流運送状の配達情報に基づいて、前記物流運送状の前記配達物の引き取り、及び前記物流運送状の前記配達物を前記物流運送状の配達先住所へ配達するためのデータ処理を行うこと、
を含む、請求項３２に記載の宅配業者の携帯端末ベースの物流及び流通の方法。
【請求項３８】
前記物流運送状集合の前記受信した情報の中の、前記物流運送状集合に含まれる物流運送状の配達情報に基づいて、前記物流運送状の前記配達物の引き取り、及び前記物流運送状の前記配達物を前記物流運送状の配達先住所へ配達するためのデータ処理を行う、前記データ処理が、
前記物流運送状の受領者が前記物流運送状に署名できない場合に前記物流運送状の前記配達物を前記物流運送状が属する前記物流運送状集合に対応する前記事前設定された集約宛先へ配達するためのデータ処理を行うこと、
を含む、請求項３７に記載の宅配業者の携帯端末ベースの物流及び流通の方法。
【請求項３９】
前記物流運送状集合の前記受信した情報の中の物流運送状の配達情報及び前記物流運送状集合に対応する事前設定された集約宛先の情報に基づいて、前記物流運送状の配達物の引き取り及び配達のためのデータ処理を行うステップの後に、
前記宅配業者の前記携帯端末を使用して、前記物流運送状集合に含まれる物流運送状に対する配達料金の情報を受信すること、
を含む、請求項３２に記載の宅配業者の携帯端末ベースの物流及び流通の方法。
【請求項４０】
前記方法が県級から村級への物流及び流通に使用される、請求項３２〜３９のいずれか一項に記載の宅配業者の携帯端末ベースの物流及び流通の方法。
【請求項４１】
宅配業者の携帯端末ベースの物流及び流通の機器であって、
前記宅配業者の携帯端末を使用して、事前設定された物流データセンタにより送信された物流運送状集合の情報を受信するよう構成された物流運送状集合情報受信部と、
前記宅配業者の前記携帯端末を使用して、前記物流運送状集合の前記情報に対応する運送状受諾情報を前記事前設定された物流データセンタへ送信するよう構成された配達予定物流運送状集合送信部と、
前記物流運送状集合の前記受信した情報の中の物流運送状の配達情報及び前記物流運送状集合に対応する事前設定された集約宛先の情報に基づいて、前記物流運送状の配達物の引き取り及び配達のためのデータ処理を行うよう構成された物流運送状配達部と、
を備える機器。
【請求項４２】
宅配業者の携帯端末ベースの物流及び流通の電子装置であって、
表示装置と、
プロセッサと、
データを送信するためのプログラムを記憶するよう構成されたメモリと、を備え、前記プログラムが前記プロセッサにより読み出され実行された際に以下の動作、すなわち、前記宅配業者の携帯端末を使用して、事前設定された物流データセンタにより送信された物流運送状集合の情報を受信すること、前記宅配業者の前記携帯端末を使用して、前記物流運送状集合の前記情報に対応する運送状受諾情報を前記事前設定された物流データセンタへ送信すること、前記物流運送状集合の前記受信した情報の中の物流運送状の配達情報及び前記物流運送状集合に対応する事前設定された集約宛先の情報に基づいて、前記物流運送状の配達物の引き取り及び配達のためのデータ処理を行う、電子装置。
【発明の詳細な説明】
【技術分野】
【０００１】
本願は、中国特許庁に２０１６年２月２９日に出願され、「物流及び流通におけるデータを処理する方法及び機器並びに宅配業者の携帯端末ベースの物流及び流通の方法及び機器」と題された中国特許出願第２０１６１０１１３５１４．７号に対する優先権を主張し、当該出願はその全体が参照により本願に援用される。
【０００２】
本願は物流分野に関し、特に物流及び流通におけるデータを処理する方法、機器及び電子装置に関する。また、本願は宅配業者の携帯端末ベースの物流及び流通の方法、機器及び電子装置に関する。さらに、本願は宅配業者の配達サービスを評価する方法及び機器に関する。
【背景技術】
【０００３】
物流分野において、比較的散在した未開発の農村部で物流及び流通を行うのは常に困難であった。
【０００４】
農村部では地理的位置は比較的散在しているため、農村部向けの物流及び流通における運送状当たりの実際の輸送距離の平均は、都市部での流通における輸送距離よりもずっと長くなる。その結果、農村部向けの物流及び流通ではより高い配達コストがかかる。さらに、農村部向けの物流及び流通プロセスにおいては、先への旅及び帰路の両方で品物を運ぶことはほぼ不可能である。通常、車両は先への旅では満載となっていて、帰路では空になっている。このため、輸送能力資源の無駄と追加の配達コストも発生する。さらに、農村部向けの宅配では、農村部の受領者は在宅していないことが多い。その結果、一度の配達で成功する率は低く、多くの回数の配達が必要となる。また、このために農村部向けの物流及び流通の配達コストが増加する。
【０００５】
農村部向けの物流及び流通の高い配達コストのために、ほとんどの既存の物流及び流通システムでは、県級又は鎮級への配達サービスしか提供できない。物流無人集荷場所は県又は鎮に設置され、関係する農村部の受領者は物流無人集荷場所へ行って品物を受け取る。あるいは、高価な物流料金が課される、家具や家電製品のような品物のみに対して宅配便が提供される。
既存の農村部向けの物流及び流通システムは、主に以下の不利益を有する。
【０００６】
農村部向けの物流及び流通の高い配達コストのために、ほとんどの物流及び流通システムでは、県級又は鎮級へしか品物を配達できない。ほとんどの品物は村級へ配達することができない。この結果、農村部の受領者は県又は鎮へ行って自分で品物を受け取る必要がある。
【０００７】
ごく一部の品物のみが、法外に高い配達コストで村級へ配達することができる。頻繁に発生する、繰り返し行われる配達も配達コストを増加させる。
【発明の概要】
【０００８】
既存の物流及び流通システムが村級への物流及び流通を行うことができず、村級への物流及び流通が高いコストを要し、輸送能力資源を無駄にしているという問題を解決するため、本願は物流及び流通におけるデータを処理する方法及び機器並びに宅配業者の携帯端末ベースの物流及び流通の方法及び機器を提供する。さらに、本願は宅配業者の配達サービスを評価する方法及び機器を提供する。
【０００９】
本願は物流及び流通におけるデータを処理する方法を提供し、この方法は、
事前設定された期間に物流運送状のデータを受信することと、
物流運送状のデータを分析して、配達物属性情報、配達先住所情報及び時間情報を含む物流運送状の配達情報を取得することと、
物流運送状の配達先住所情報と事前設定された行政区レベルの住所に対応する事前設定された集約宛先との間の距離的関係に基づいて物流運送状を集約して物流運送状集合を形成し、各物流運送状集合が１つ以上の物流運送状を含むとともに１つの事前設定された集約宛先に対応するように、集約することと、
各物流運送状集合に対して、物流運送状集合に含まれる物流運送状の配達情報及び物流運送状集合に対応する事前設定された集約宛先に基づいて宅配業者情報データベースを検査して、事前設定された選別条件を満たす宅配業者を取得することと、
物流運送状集合の情報を当該物流運送状集合に対して選別された宅配業者へ送信することと、
を含む。
【００１０】
任意選択で、事前設定された行政区レベルの住所は、郷級、鎮級又は村級を含む。
【００１１】
任意選択で、事前設定された集約宛先は、具体的には物流サービスステーションが設置された住所であり、物流サービスステーションは物流運送状の配達物を受け取り、保管し、発送するためのサービス組織である。
【００１２】
任意選択で、物流運送状の配達先住所情報と事前設定された行政区レベルの住所に対応する事前設定された集約宛先との間の距離的関係に基づいて物流運送状を集約して物流運送状集合を形成することは、
物流運送状の配達先住所情報と事前設定された行政区レベルの住所に対応する事前設定された集約宛先との間の距離に基づいて物流運送状の配達先住所に最も近い事前設定された集約宛先へ物流運送状を集約して物流運送状集合を形成すること、を含む。
【００１３】
任意選択で、宅配業者は具体的には宅配業者情報データベースに登録された貨物輸送運転手であり、貨物輸送運転手はサードパーティの貨物輸送運転手及び独立経営の貨物輸送運転手を含む。
【００１４】
任意選択で、宅配業者情報データベースは宅配業者の地理的位置情報及び宅配業者の運搬用機材の属性情報を含むデータベースを含む。
【００１５】
任意選択で、各物流運送状集合に対して、物流運送状集合に含まれる物流運送状の配達情報及び物流運送状集合に対応する事前設定された集約宛先に基づいて宅配業者情報データベースを検査して、事前設定された選別条件を満たす宅配業者を取得するステップの前に、以下のステップが行われる：
サードパーティの貨物輸送運転手の登録情報を受信すること、及び登録情報内の配達関連情報を承認後に宅配業者情報データベースへ登録すること。
【００１６】
任意選択で、サードパーティの貨物輸送運転手の登録情報は、サードパーティの貨物輸送運転手の個人属性情報及び輸送資格情報、並びにサードパーティの貨物輸送運転手の運搬用機材の属性情報及び輸送資格情報を含む。
【００１７】
任意選択で、登録情報内の配達関連情報は、サードパーティの貨物輸送運転手の運搬用機材の属性情報を含む。
【００１８】
任意選択で、各物流運送状集合に対して、物流運送状集合に含まれる物流運送状の配達情報及び物流運送状集合に対応する事前設定された集約宛先に基づいて宅配業者情報データベースを検査して、事前設定された選別条件を満たす宅配業者を取得するステップの前に、以下のステップが行われる：
宅配業者によりリアルタイムで送信された宅配業者の地理的位置情報を受信すること、及び宅配業者情報データベース内の宅配業者の地理的位置情報を更新すること。
【００１９】
任意選択で、各物流運送状集合に対して、物流運送状集合に含まれる物流運送状の配達情報及び物流運送状集合に対応する事前設定された集約宛先に基づいて宅配業者情報データベースを検査して、事前設定された選別条件を満たす宅配業者を取得することは、
事前設定された距離選別条件に基づき、宅配業者の地理的位置情報及び物流運送状集合に対応する事前設定された集約宛先の情報に基づいて宅配業者情報データベースを検査して、距離的に選択可能な宅配業者を取得すること、
を含む。
【００２０】
任意選択で、事前設定された距離選別条件は、具体的には宅配業者の地理的位置から事前設定された集約宛先への距離が事前設定された範囲内となっていることである。
【００２１】
任意選択で、各物流運送状集合に対して、物流運送状集合に含まれる物流運送状の配達情報及び物流運送状集合に対応する事前設定された集約宛先に基づいて宅配業者情報データベースを検査して、事前設定された選別条件を満たす宅配業者を取得することは、
事前設定された容積及び重量の選別条件に基づき、物流運送状集合に含まれる物流運送状の配達物属性情報及び運搬用機材の属性情報に基づいて距離的に選択可能な宅配業者を選別して、輸送能力的に選択可能な宅配業者を取得すること、
を含む。
【００２２】
任意選択で、各物流運送状集合に対して、物流運送状集合に含まれる物流運送状の配達情報及び物流運送状集合に対応する事前設定された集約宛先に基づいて宅配業者情報データベースを検査して、事前設定された選別条件を満たす宅配業者を取得することは、
宅配業者の配達サービスを評価するための事前設定された方法に基づき、宅配業者の配達サービスの評価を取得すること、及び輸送能力的に選択可能な宅配業者を宅配業者の配達サービスの評価のスコアの降順でランク付けすることと、
物流運送状集合内の物流運送状の配達物の価値が価値の上限値を上回るかどうか計算して、上回る場合は輸送能力的に選択可能な宅配業者の中で第１位に位置付けられる独立経営の貨物輸送運転手を宅配業者として選択し、そうでない場合は、輸送能力的に選択可能な宅配業者の中で第１位に位置付けられる貨物輸送運転手を選別された宅配業者として選択することと、
を含む。
【００２３】
任意選択で、物流運送状集合の情報は、物流運送状集合に含まれる物流運送状の配達情報及び物流運送状集合に対応する事前設定された集約宛先の情報を含む。
【００２４】
任意選択で、宅配業者が物流運送状集合内の物流運送状の配達を完了したというフィードバック情報を受信することは、宅配業者が事前設定された集約宛先への物流運送状の配達物の配達を完了したことをフィードバック情報が示す場合は、物流運送状の受領者へ、事前設定された集約宛先に行って物流運送状の配達物を受け取るように受領者に指示する情報を送信することを含む。
【００２５】
任意選択で、宅配業者が物流運送状集合内の物流運送状の配達を受諾するというフィードバック情報を受信するステップの後に、以下のステップが行われる：
宅配業者が物流運送状集合内の物流運送状の配達を完了したというフィードバック情報を受信すること。
任意選択で、宅配業者が物流運送状集合内の物流運送状の配達を完了したというフィードバック情報を受信するステップの後に、以下のステップが行われる：
宅配業者によって配達された物流運送状に対する配達料金を計算して決済すること。
【００２６】
任意選択で、宅配業者によって配達された物流運送状に対する配達料金を計算して決済することは、配達料金の情報を宅配業者へ送信することを含む。
【００２７】
任意選択で、このデータ処理方法は県級から村級への物流及び流通で使用される。
【００２８】
本願は物流及び流通におけるデータを処理する機器を提供し、この機器は、
事前設定された期間に物流運送状のデータを受信するよう構成された物流運送状データ取得部と、
物流運送状のデータを分析して、配達物属性情報、配達先住所情報及び時間情報を含む物流運送状の配達情報を取得するよう構成された物流運送状配達情報取得部と、
物流運送状の配達先住所情報と事前設定された行政区レベルの住所に対応する事前設定された集約宛先との間の距離的関係に基づいて物流運送状を集約して物流運送状集合を形成し、各物流運送状集合が１つ以上の物流運送状を含むとともに１つの事前設定された集約宛先に対応するように集約を行うよう構成された物流運送状集合構築部と、
各物流運送状集合に対して、物流運送状集合に含まれる物流運送状の配達情報及び物流運送状集合に対応する事前設定された集約宛先に基づいて宅配業者情報データベースを検査して、事前設定された選別条件を満たす宅配業者を取得するよう構成された宅配業者選別部と、
物流運送状集合の情報を当該物流運送状集合に対して選別された宅配業者へ送信するよう構成された物流運送状集合送信部と、
を備える。
【００２９】
本願は物流及び流通におけるデータを処理する電子装置を提供し、この電子装置は、
表示装置と、
プロセッサと、
データを送信するためのプログラムを記憶するよう構成されたメモリを備え、このプログラムがプロセッサにより読み出され実行された際に以下の動作、すなわち、事前設定された期間に物流運送状のデータを受信することと、物流運送状のデータを分析して配達物属性情報、配達先住所情報、及び時間情報を含む物流運送状の配達情報を取得することと、物流運送状の配達先住所情報と事前設定された行政区レベルの住所に対応する事前設定された集約宛先との間の距離的関係に基づいて物流運送状を集約して物流運送状集合を形成し、各物流運送状集合が１つ以上の物流運送状を含むとともに１つの事前設定された集約宛先に対応するように集約を行うことと、各物流運送状集合に対して、物流運送状集合に含まれる物流運送状の配達情報及び物流運送状集合に対応する事前設定された集約宛先とに基づいて宅配業者情報データベースを検査して、事前設定された選別条件を満たす宅配業者を取得することと、物流運送状集合の情報を当該物流運送状集合に対して選別された宅配業者へ送信することと、宅配業者が物流運送状集合内の物流運送状の配達を受諾するというフィードバック情報を受信することと、を行う。
【００３０】
さらに、本願は宅配業者の配達サービスを評価する方法を提供し、この方法は、
宅配業者の物流運送状の配達についての履歴記録情報を取得することと、
履歴記録情報に基づき宅配業者の配達行動情報データを取得することと、
配達行動情報データに対し、事前設定された寸法に基づいて分類計算を行って単一クラスの配達行動定量評価値を取得し、各クラスの重みの値を設定することと、
単一クラスの配達行動定量評価値及び異なるクラスの重みの値を使って加重計算を行い、宅配業者の配達サービス評価データを取得することと、
を含む。
【００３１】
任意選択で、宅配業者の配達行動情報データは、配達物属性統計データ、配達行動評価データ、及び配達適時性データを含む。
【００３２】
任意選択で、配達行動情報データに対し、事前設定された寸法に基づいて分類計算を行って単一クラスの配達行動定量評価値を取得することは、
配達行動情報データ内の宅配業者が引き受けた物流運送状の量に基づいて宅配業者の運送状の総量を算出することと、
配達行動情報データ内の宅配業者により無事配達された物流運送状の量及び宅配業者の運送状の総量に基づいて宅配業者の運送状当たりの平均配達可能率を算出することと、
物流運送状の配達を完了するのに宅配業者が費やした時間及び配達行動情報データ内の無事配達された物流運送状の量に基づいて宅配業者の運送状当たりの平均完了時間を算出することと、
宅配業者により無事配達された物流運送状の配達物の価値及び配達行動情報データ内の宅配業者により無事配達された物流運送状の量に基づいて、宅配業者の運送状当たりの平均品物価値を算出することと、
を含む。
【００３３】
任意選択で、単一クラスの配達行動定量評価値及び異なるクラスの重みの値を使って加重計算を行い、宅配業者の配達サービス評価データを取得することは、
包括的採点方法に基づき、宅配業者の運送状の総量、運送状当たりの平均配達可能率、運送状当たりの平均完了時間、及び運送状当たりの平均品物価値に対して対応する評価基準に基づいて個別スコアを授与し、異なるクラスの重みの値に基づいて個別スコアに対して加重加算を行って合計スコアを得て、合計スコアを宅配業者の配達サービスの評価として使用すること、
を含む。
【００３４】
任意選択で、対応する評価基準は、
宅配業者の運送状の総量が大きいほど、宅配業者の運送状の総量の個別スコアが高くなること、
宅配業者の運送状当たりの平均配達可能率が高いほど、宅配業者の運送状当たりの平均配達可能率の個別スコアが高くなること、
宅配業者の運送状当たりの平均完了時間が短いほど、宅配業者の運送状当たりの平均完了時間の個別スコアが高くなること、
宅配業者の運送状当たりの平均品物価値が高いほど、宅配業者の運送状当たりの平均品物価値の個別スコアが高くなること、
を含む。
【００３５】
任意選択で、異なるクラスの重みの値は、
宅配業者の運送状の総量の個別スコア及び宅配業者の運送状当たりの平均配達可能率の個別スコアの重みの値は、宅配業者の運送状当たりの平均完了時間の個別スコア及び宅配業者の運送状当たりの平均品物価値の個別スコアの重みの値の４倍であること、
を含む。
【００３６】
任意選択で、宅配業者により無事配達された物流運送状の量を算出する方法は、宅配業者により配達された物流運送状が実際に署名される度に、宅配業者により無事配達された物流運送状の量を１だけインクリメントすることである。
【００３７】
任意選択で、物流運送状の配達を完了するのに宅配業者が費やした時間及び配達行動情報データ内の無事配達された物流運送状の量に基づいて宅配業者の運送状当たりの平均完了時間を算出する特定の方法は、宅配業者により配達された物流運送状が実際に署名された時点と宅配業者が物流運送状を引き受けた時点との間の差分を算出して宅配業者の配達完了時間を取得することと、宅配業者により無事配達された物流運送状の総量に対する宅配業者の配達完了時間の合計の比率を算出して運送状当たりの平均完了時間を取得すること、である。
【００３８】
さらに、本願は宅配業者の配達サービスを評価する機器を提供し、この機器は、
宅配業者の物流運送状の配達についての履歴記録情報を取得するよう構成された履歴記録情報取得部と、
履歴記録情報に基づき宅配業者の配達行動情報データを取得するよう構成された行動情報データ取得部と、
配達行動情報データに対し、事前設定された寸法に基づいて分類計算を行って単一クラスの配達行動定量評価値を取得し、各クラスの重みの値を設定するよう構成された定量評価値算出部と、
単一クラスの配達行動定量評価値及び異なるクラスの重みの値を使って加重計算を行い、宅配業者の配達サービス評価データを取得するよう構成された配達評価算出部と、
を備える。
【００３９】
また、本願は宅配業者の携帯端末ベースの物流及び流通の方法を更に提供し、この方法は、
宅配業者の携帯端末を使用して、事前設定された物流データセンタにより送信された物流運送状集合の情報を受信することと、
宅配業者の携帯端末を使用して、物流運送状集合の情報に対応する運送状受諾情報を事前設定された物流データセンタへ送信することと、
物流運送状集合の受信した情報の中の、物流運送状の配達情報及び物流運送状集合に対応する事前設定された集約宛先の情報に基づいて、物流運送状の配達物の引き取り及び配達のためのデータ処理を行うことと、
を含む。
【００４０】
任意選択で、宅配業者の携帯端末は、事前設定されたモバイルプラットフォームにアプリケーションソフトの形でインストールされている。
【００４１】
任意選択で、宅配業者の携帯端末を使用して、事前設定された物流データセンタにより送信された物流運送状集合の情報を受信するステップの前に、以下のステップが行われる：
宅配業者の携帯端末を使用して、サードパーティの貨物輸送運転手の登録情報を事前設定された物流データセンタへ送信すること。
【００４２】
任意選択で、宅配業者の携帯端末を使用して、事前設定された物流データセンタにより送信された物流運送状集合の情報を受信するステップの前に、以下のステップが行われる：
宅配業者の携帯端末を使用して、宅配業者の地理的位置情報をリアルタイムで事前設定された物流データセンタへ送信すること。
【００４３】
任意選択で、物流運送状集合の受信した情報の中の、物流運送状の配達情報及び物流運送状集合に対応する事前設定された集約宛先の情報に基づいて、物流運送状の配達物の引き取り及び配達のためのデータ処理を行うことは、
物流運送状集合の受信した情報の中の、物流運送状集合に含まれる物流運送状の配達情報、及び物流運送状集合に対応する事前設定された集約宛先の情報に基づいて、物流運送状の配達物の引き取り、及び物流運送状の配達物を事前設定された集約宛先へ配達するためのデータ処理を行うこと、
を含む。
【００４４】
任意選択で、物流運送状集合の受信した情報の中の、物流運送状の配達情報及び物流運送状集合に対応する事前設定された集約宛先の情報に基づいて、物流運送状の配達物の引き取り及び配達のためのデータ処理を行うことは、
物流運送状集合の受信した情報の中の、物流運送状集合に含まれる物流運送状の配達情報に基づいて、物流運送状の配達物の引き取り、及び物流運送状の配達物を物流運送状の配達先住所へ配達するためのデータ処理を行うこと、
を含む。
【００４５】
任意選択で、物流運送状集合の受信した情報の中の、物流運送状集合に含まれる物流運送状の配達情報に基づいて、物流運送状の配達物の引き取り、及び物流運送状の配達物を物流運送状の配達先住所へ配達するためのデータ処理を行うことは、
物流運送状の受領者が物流運送状に署名できない場合に物流運送状の配達物を当該物流運送状が属する物流運送状集合に対応する事前設定された集約宛先へ配達するためのデータ処理を行うこと、
を含む。
【００４６】
任意選択で、物流運送状集合の受信した情報の中の、物流運送状の配達情報及び物流運送状集合に対応する事前設定された集約宛先の情報に基づいて、物流運送状の配達物の引き取り及び配達のためのデータ処理を行うステップの後に、以下のステップが行われる：
宅配業者の携帯端末を使用して、物流運送状集合に含まれる物流運送状に対する配達料金の情報を受信すること。
【００４７】
任意選択で、この方法は県級から村級への物流及び流通で使用される。
【００４８】
また、本願は宅配業者の携帯端末ベースの物流及び流通の機器を提供し、この機器は、
宅配業者の携帯端末を使用して、事前設定された物流データセンタにより送信された物流運送状集合の情報を受信するよう構成された物流運送状集合情報受信部と、
宅配業者の携帯端末を使用して、物流運送状集合の情報に対応する運送状受諾情報を事前設定された物流データセンタへ送信するよう構成された配達予定物流運送状集合送信部と、
物流運送状集合の受信した情報の中の物流運送状の配達情報及び物流運送状集合に対応する事前設定された集約宛先の情報に基づいて、物流運送状の配達物の引き取り及び配達のためのデータ処理を行うよう構成された物流運送状配達部と、
を備える。
【００４９】
また、本願は宅配業者の携帯端末ベースの物流及び流通の電子装置を提供し、この電子装置は、
表示装置と、
プロセッサと、
データを送信するためのプログラムを記憶するよう構成されたメモリと、を備え、このプログラムがプロセッサにより読み出され実行された際に以下の動作、すなわち、宅配業者の携帯端末を使用して、事前設定された物流データセンタにより送信された物流運送状集合の情報を受信すること、宅配業者の携帯端末を使用して、物流運送状集合の情報に対応する運送状受諾情報を事前設定された物流データセンタへ送信すること、物流運送状集合の受信した情報の中の物流運送状の配達情報及び物流運送状集合に対応する事前設定された集約宛先の情報に基づいて、物流運送状の配達物の引き取り及び配達のためのデータ処理を行う。
【００５０】
従来技術と比べ、本願は以下の利点を有する。
【００５１】
本願では、互いに近い物流運送状が一束に集約され、事前設定された集約宛先への距離が比較的短い宅配業者へ配達されることで、物流運送状当たりの実際の平均輸送距離を効果的に削減し、宅配業者の配達適時性を改善して、物流及び流通の配達コストを効果的に削減する。
【００５２】
本願の技術的解決策では、社会にある遊休状態の輸送能力資源を独立経営の輸送能力資源と共に使用して、下位の行政区レベルの住所への公共協働配達を実行する。これにより、利用可能な輸送能力資源が大幅に増加し、最近隣への物流及び流通をよりよく実現し、独立経営の輸送能力資源の無駄と下位の行政区レベルの住所への物流及び流通の配達コストを著しく削減して、下位の行政区レベルの住所への物流及び流通のよりよい解決策が得られる。
【図面の簡単な説明】
【００５３】
【図１】図１は、本願に係る物流及び流通におけるデータを処理する方法の実施形態のフローチャートである。
【図２】図２は、本願に係る物流及び流通におけるデータを処理する機器の実施形態の模式図である。
【図３】図３は、本願に係る物流及び流通におけるデータを処理する電子装置の実施形態の模式図である。
【図４】図４は、本願に係る、宅配業者の配達サービスを評価する方法の実施形態のフローチャートである。
【図５】図５は、本願に係る、宅配業者の配達サービスを評価する機器の実施形態の模式図である。
【図６】図６は、本願に係る、宅配業者の携帯端末ベースの物流及び流通の方法の実施形態のフローチャートである。
【図７】図７は、本願に係る、宅配業者の携帯端末ベースの物流及び流通の機器の実施形態の模式図である。
【図８】図８は、本願に係る、宅配業者の携帯端末ベースの物流及び流通の電子装置の実施形態の模式図である。
【発明を実施するための形態】
【００５４】
以下の説明は、本願が完全に理解できるように、多くの具体的な詳細を提供する。しかし、本願は本明細書で説明される実装とは異なる多くの方法で実現可能である。当業者は、本願の意図から逸脱することなく、同様の一般化を行うことが可能である。したがって、本願は以下に開示される特定の実装に限定されない。
【００５５】
本願は、物流及び流通におけるデータを処理する方法、機器、及び電子装置、宅配業者の携帯端末ベースの物流及び流通の方法、機器、及び電子装置、並びに宅配業者の配達サービスを評価するための方法及び機器を提供し、これらは以下の実施形態で一つずつ詳細に説明される。本願の技術的解決策の理解を容易にするため、本願の背景及び本願の技術的解決策をまず簡潔に説明する。
【００５６】
例えば、物流企業は、農村部向けの物流及び流通の高い配達コストのために村級への物流及び流通を提供出来ない。品物は鎮級へのみ配達することができ、鎮級の物流無人集荷場所が設置されて、関係する農村部の受領者は通知を受けて品物を受け取るために鎮の物流無人集荷場所へ行く。
【００５７】
それ故、本願の発明者は、農村部向けの物流及び流通の法外に高い配達コストのために村級への物流及び流通を提供できないという問題を解決するために、物流及び流通におけるデータを処理する方法、機器、及び電子装置、宅配業者の携帯端末ベースの物流及び流通の方法、機器、及び電子装置、並びに宅配業者の配達サービスを評価するための方法及び機器を提供する。
【００５８】
以下に、本願の実施形態を添付の図面を参照して順番に説明する。
【００５９】
図１を参照すると、図１は本願に係る物流及び流通におけるデータを処理する方法の実施形態のフローチャートである。具体的には、本願は物流及び流通におけるデータを処理する方法を提供し、以下のステップを含む。
【００６０】
ステップＳ１０１：事前設定された期間に物流運送状のデータを受信。
【００６１】
事前設定された期間にすべての物流運送状のデータを外部物流業者から受信する。
【００６２】
事前設定された期間とは、自動又は手動で設定された特定の時間を有する期間である。事前設定された期間の特定の時間の値は、外部から受信した物流運送状の量に基づいて決定される。受信した物流運送状の量が多い場合、事前設定された期間に対してより短い時間を設定することができる。
【００６３】
物流運送状はすべて、配達予定の品物に対応する。対応する特定の配達予定の品物を受け取ることは、同時に、特定の物流運送状を受け取ることを意味すると考えることができる。
【００６４】
本実施形態では、物流企業は、特定の時点から１時間以内にある県級の物流データセンタで、外部物流業者から輸送されたすべての配達予定の品物に対応する物流運送状のデータを受信する。例えば、４００通の物流運送状のデータが、現在の県へ輸送される配達予定の品物に対応する。
【００６５】
ステップＳ１０３：物流運送状のデータを分析して配達物属性情報、配達先住所情報及び時間情報を含む物流運送状の配達情報を取得。
【００６６】
物流運送状の受信データは分割、分析されて、当該物流運送状の配達情報が取得される。物流運送状の配達情報は物流運送状の属性情報、配達先住所情報及び時間情報を含む。属性情報は、配達物の説明、仕様、重量、型、値段などの情報である。時間情報は、配達物が物流の出発地点から送られた時点及び配達物がそれより以前に目的地へ配達されているべき時点などの情報である。
【００６７】
本実施形態では、４００通の物流運送状の受信データは分割、分析されて、５００個の配達物の説明、仕様、重量、値段などの配達物の属性情報、村級及び組級までの４００個の配達先住所、４００通の物流運送状の配達物が送られた時点やその他の時間的要件などの時間情報、を含む４００通の物流運送状の配達情報が取得される。
【００６８】
ステップＳ１０５：物流運送状の配達先住所情報と事前設定された行政区レベルの住所に対応する事前設定された集約宛先との間の距離的関係に基づいて物流運送状を集約して、各物流運送状集合が１つ以上の物流運送状を含むとともに１つの事前設定された集約宛先に対応するように物流運送状集合を形成する。
【００６９】
物流運送状の配達先住所情報と事前設定された行政区レベルの住所に対応する事前設定された集約宛先との間の距離的関係に基づいて物流運送状が分類され、物流運送状の小分類の組、つまり物流運送状集合が形成される。各物流運送状集合は、１つ以上の物流運送状及び対応する１つの事前設定された集約宛先を含む。
【００７０】
事前設定された行政区レベルの住所は、事前設定された鎮級、郷級又は村級を含む。中国における行政区レベルの住所は、概して省行政区、自治州（市）行政区、県級行政区、鎮（郷）行政区、村級行政区、組（小組）行政区などを含む。例えば、「浙江省、金華市、雲来県、七一鎮、壺口村、６組」という住所は、６つの行政区レベルの住所、省、市、県、鎮、村、及び組を降順で含む。本願における事前設定された行政区レベルの住所は村級であり、現在の県が１０個の郷を統治し、各郷が鎮を統治し、各鎮が２０個の村級を統治するように設定される。つまり、現在の県が合計で１０個の郷、５０個の鎮、及び１０００個の村級を有するように設定される。
【００７１】
事前設定された集約宛先は、具体的には物流サービスステーションが設置された住所であり、物流サービスステーションは物流運送状の配達物を受け取り、保管し、発送するためのサービス組織である。
【００７２】
本実施形態における事前設定された行政区レベルの住所に対応する事前設定された集約宛先は、村級に対応する、物流運送状の配達物を受け取り、保管し、発送するためのサービス組織が設置される住所である。例えば、本実施形態では、物流サービスステーションの事前設定された集約宛先が現在の県の１００個の村級内に設定されるように設定される。物流サービスステーションを事前設定された行政区レベルの住所に設置することは、本願の技術的解決策を実施するための前提であることに留意されたい。下位の行政区レベルの住所に設定された物流サービスステーションに基づいて物流運送状と宅配業者をマッチングすることで、最近隣への配達が可能となる。繰り返し行われる配達で生じる、資源及びコストの無駄が回避されることも保証される。
【００７３】
物流運送状の配達先住所情報と事前設定された行政区レベルの住所に対応する事前設定された集約宛先との間の距離に基づいて物流運送状の配達先住所に最も近い事前設定された集約宛先へ物流運送状を集約して、物流運送状集合を形成する。
【００７４】
本実施形態では、４００通の物流運送状の村級及び組級までの具体的な配達先住所、及び物流サービスステーションが設置された１００個の事前設定された集約宛先に基づき、４００通の物流運送状が個別に最も近い事前設定された集約宛先へと分類されて、８０個の事前設定された集約宛先に対応する８０個の物流運送状集合が形成される。各物流運送状集合は１〜２０通の物流運送状を含み、各物流運送状集合は１つの事前設定された集約宛先に対応する。
【００７５】
ステップＳ１０７：各物流運送状集合に対して、物流運送状集合に含まれる物流運送状の配達情報及び物流運送状集合に対応する事前設定された集約宛先に基づいて宅配業者情報データベースを検査し、事前設定された選別条件を満たす宅配業者を取得。
【００７６】
事前設定された選別条件に基づき、各物流運送状集合に対して、物流運送状集合に含まれる物流運送状の配達情報の中の配達物属性情報及び配達先住所情報、並びに物流運送状集合に対応する事前設定された集約宛先に基づいて、宅配業者情報データベースから宅配業者が選別されて、事前設定された選別条件を満たす宅配業者が取得される。本実施形態では、事前設定された選別条件に基づき、８０個の物流運送状集合のそれぞれに対して、各物流運送状に対応する宅配業者が宅配業者情報データベースから選別される。
【００７７】
宅配業者は、具体的には宅配業者情報データベースに登録された貨物輸送運転手であり、貨物輸送運転手はサードパーティの貨物輸送運転手及び独立経営の貨物輸送運転手を含む。
【００７８】
宅配業者情報データベースはサードパーティの貨物輸送運転手及び独立経営の貨物輸送運転手の情報データベースであり、宅配業者の地理的位置情報及び宅配業者の運搬用機材の属性情報を含むデータベースを含む。本実施形態では、宅配業者データベースは５００人のサードパーティの貨物輸送運転手及び１００人の独立経営の貨物輸送運転手の情報データベースである。情報データベースは、少なくとも貨物輸送運転手の地理的位置情報及び、積載量や容積容量などの貨物輸送運転手の運搬用機材の属性情報を含む。
【００７９】
サードパーティの貨物輸送運転手の登録情報は、サードパーティの貨物輸送運転手の個人属性情報及び輸送資格情報、並びにサードパーティの貨物輸送運転手の運搬用機材の属性情報及び輸送資格情報を含む。本実施形態では、サードパーティの貨物輸送運転手の登録情報は少なくとも、５００人のサードパーティの貨物輸送運転手の個人属性情報、地理的位置情報及び輸送資格情報、並びに５００人のサードパーティの貨物輸送運転手の運搬用機材の属性情報及び輸送資格情報を含む。
【００８０】
登録情報内の配達関連情報は、サードパーティの貨物輸送運転手の運搬用機材の属性情報を含む。
【００８１】
本実施形態の好ましい解決策では、宅配業者情報データベースを検査して宅配業者を取得するステップの前に、以下のステップ、すなわち、サードパーティの貨物輸送運転手の登録情報を受信すること、及び当該登録情報内の配達関連情報を承認後に宅配業者情報データベースへ登録すること、を行うことができる。このステップは、宅配業者情報データベースを検査して宅配業者を取得するステップの前に、遊休状態の公共輸送能力資源を有する運転手により送信され、物流及び流通へ参加するのに使用される、サードパーティの貨物輸送運転手の登録情報が受信されてこれらの運転手及び運転手の運搬用機材の配達関連資格が検証されたということ、また配達関連資格が検証を通過した後に、運転手がサードパーティの貨物輸送運転手として使用され、当該運転手の配達関連情報が宅配業者情報データベースへ登録されるということ、を意味している。遊休状態の公共輸送能力資源を有する運転手はサードパーティの貨物輸送運転手として物流及び流通システムへ追加され、農村部向けの物流及び流通において独立経営の貨物輸送運転手と協力する。これにより、選択可能な宅配業者の数が増加するだけでなく、最近隣への物流及び流通をよりよく実現して、輸送能力資源の無駄及び農村部向けの物流及び流通の配達コストが削減される。
【００８２】
本実施形態の好ましい解決策では、宅配業者情報データベースを検査して宅配業者を取得するステップの前に、以下のステップ、すなわち、宅配業者によりリアルタイムで送信された宅配業者の地理的位置情報を受信すること、及び宅配業者情報データベース内の宅配業者の地理的位置情報を更新すること、をさらに行うことができる。宅配業者のリアルタイムの地理的位置情報を更新することで、事前設定された集約宛先に最も近い宅配業者をより効果的に選別することができる。
【００８３】
各物流運送状集合に対して、宅配業者情報データベースを検査して宅配業者を取得することは、事前設定された距離選別条件に基づき、宅配業者の地理的位置情報及び物流運送状集合に対応する事前設定された集約宛先の情報に基づいて宅配業者情報データベースを検査して、距離的に選択可能な宅配業者を取得すること、を含む。事前設定された距離選別条件は、具体的には宅配業者の地理的位置から事前設定された集約宛先への距離が事前設定された範囲内となっていることである。
【００８４】
例えば、本実施形態では、５００人のサードパーティの貨物輸送運転手及び１００人の独立経営の貨物輸送運転手がそれぞれ８０個の物流運送状集合に対して選別されて、その地理的位置が事前設定された集約宛先から１０ｋｍ以内である距離的に選択可能な宅配業者が取得される。そして、８０個の物流運送状集合に対応する、合計で２００人のサードパーティの貨物輸送運転手及び４０人の独立経営の貨物輸送運転手が選別により取得される。
【００８５】
各物流運送状集合に対して宅配業者情報データベースを検査して宅配業者を取得することは、事前設定された容積及び重量の選別条件に基づき、物流運送状集合に含まれる物流運送状の配達物属性情報及び運搬用機材の属性情報に基づいて距離的に選択可能な宅配業者を選別して、輸送能力的に選択可能な宅配業者を取得すること、を含む。
【００８６】
本実施形態では、２４０の選択可能な宅配業者（２００人のサードパーティの貨物輸送運転手及び４０人の独立経営の貨物輸送運転手）が配達物の寸法及び重量に基づいて選別されて、その運搬用機材がそれぞれ８０個の物流運送状集合に対する配達物を保持できる、輸送能力的に選択可能な宅配業者が取得される。そして、合計で１２０人のサードパーティの貨物輸送運転手及び３０人の独立経営の貨物輸送運転手が選別される。
【００８７】
各物流運送状集合に対して、宅配業者情報データベースを検査して宅配業者を取得することは、宅配業者の配達サービスを評価する事前設定された方法に基づき、宅配業者の配達サービスの評価を取得して輸送能力的に選択可能な宅配業者を宅配業者の配達サービスの評価のスコアの降順にランク付けすることと、物流運送状集合内の物流運送状の配達物の価値が価値の上限値を上回るかどうか計算して、上回る場合は輸送能力的に選択可能な宅配業者の中で第１位に位置付けられる独立経営の貨物輸送運転手を宅配業者として選択し、そうでない場合は、輸送能力的に選択可能な宅配業者の中で第１位に位置付けられる貨物輸送運転手を選別された宅配業者として選択することと、を含む。
【００８８】
本実施形態では、宅配業者の配達サービスを評価する事前設定された方法に基づき取得した宅配業者の配達サービスの評価スコアに基づいて、１５０人の貨物輸送運転手（１２０人のサードパーティの貨物輸送運転手及び３０人の独立経営の貨物輸送運転手）がスコアの降順でランク付けされる。ランク付け後に、最も高いスコアを有する貨物輸送運転手が１位を占める。８０個の物流運送状集合のそれぞれに含まれる物流運送状の配達物の商品価値が算出される。商品価値が人民元で１０，０００元を超える場合、輸送能力的に選択可能な宅配業者の３０人の独立経営の貨物輸送運転手の中で第１位に位置付けられた独立経営の貨物輸送運転手が物流運送状集合の宅配業者として選別される。商品価値が人民元で１０，０００元を超えない場合、輸送能力的に選択可能な宅配業者の１５０人の貨物輸送運転手の中で第１位に位置付けられた貨物輸送運転手が物流運送状集合の宅配業者として選別される。例えば、第３位に位置付けられた独立経営の貨物輸送運転手は第１の物流運送状集合（３通の物流運送状及び４個の配達物を含み第１の事前設定された集約宛先に対応する）に対して選別され、第１位に位置付けられたサードパーティの貨物輸送運転手が第２の物流運送状集合（１通の物流運送状及び１個の配達物を含み、第２の事前設定された集約宛先に対応する）に対して選別される。選別は、第８０の物流運送状集合に対して貨物輸送運転手が選別されるまで行われる。最終的に、８０個の物流運送状集合に対応する、６５人のサードパーティの貨物輸送運転手及び１５人の独立経営の貨物輸送運転手が、１対１の要領で選別される。
【００８９】
もちろん、本実施形態では、各物流運送状集合に対して１つの異なる宅配業者が選別されるという状況のみを議論している。本願の技術的解決策は、各物流運送状集合に対して１つ又は複数の宅配業者が選別されるという状況及び多数の物流運送状集合に対して同一の宅配業者が選別されるという状況も含む。各物流運送状集合に対して多数の宅配業者を選別することで、選別された宅配業者が物流運送状集合の配達をその後に断った場合の障害耐性を実装することが可能であり、選別された宅配業者に断られた物流運送状集合に対して、引き続き選別条件を満足する他の選択可能な宅配業者を組み合わることが可能となる。
Ｓ１０９：物流運送状集合の情報を当該物流運送状集合に対して選別された宅配業者へ送信。
【００９０】
物流運送状集合内の配達に必要な情報が当該物流運送状集合に対して選別された宅配業者へ送信される。
【００９１】
物流運送状集合内の配達に必要な情報は、少なくとも物流運送状集合に含まれる物流運送状の配達情報及び物流運送状集合に対応する事前設定された集約宛先の情報を含む。本実施形態では、５００個の配達物の関連属性情報、並びに８０個の物流運送状集合内の４００通の物流運送状の４００の配達先住所情報及び８０個の物流運送状集合に対応する８０の事前設定された集約宛先が、選別された８０の宅配業者へ送信される。
【００９２】
もちろん、物流運送状集合の情報が宅配業者へ送信された後で、宅配業者が物流運送状集合内の物流運送状の配達を受諾するというフィードバック情報を受信することができて、送り出された物流運送状集合が宅配業者と組み合わせられたことが最終的に確認される。宅配業者が物流運送状集合内の物流運送状のすべての配達物の配達を受諾するというフィードバック情報が受信される。運送状を引き受けるというフィードバック情報は多くの形式でありえて、例えば、１文字や複数の数字の一群でありうる。
【００９３】
宅配業者が物流運送状集合内の物流運送状の配達を受諾するというフィードバック情報が受信された後に、宅配業者が物流運送状集合内の物流運送状のすべての配達物の配達を完了したというフィードバック情報をさらに受信することができる。
【００９４】
配達が完了したというフィードバック情報は多くの形式であり得るが、配達物が配達先住所又は事前設定された集約宛先へ配達されたという情報を含むことが推奨される。
【００９５】
宅配業者が事前設定された集約宛先への物流運送状の配達物の配達を完了したことをフィードバック情報が示している場合、物流運送状の受領者に事前設定された集約宛先へ行って物流運送状の配達物を受け取るように指示する情報が受領者へ送信される。
【００９６】
本実施形態では、例えば、３５個の物流運送状集合内の物流運送状の配達物が事前設定された集約宛先へ配達され、４５個の物流運送状集合内の物流運送状の配達物が配達先住所へ配達され、この場合には、事前設定された集約宛先へ配達される３５個の物流運送状集合内の物流運送状の受領者に事前設定された集約宛先へ行って物流運送状の配達物を受け取るように指示する情報が、受領者へ送信される。
【００９７】
宅配業者が物流運送状集合内の物流運送状のすべての配達物の配達を完了したというフィードバック情報を受信するステップの後に、宅配業者によって配達された物流運送状に対する配達料金を計算し、関係する金融口座へ決済することができる。本実施形態では、４００通の物流運送状に対する配達料金を計算して、８０人の貨物輸送運転手の金融口座へ決済することができる。
【００９８】
本実施形態の好ましい解決策では、宅配業者によって配達された物流運送状に対する配達料金を計算して決済することは、配達料金の情報を宅配業者へ送信することをさらに含むことができる。
【００９９】
本実施形態におけるデータ処理方法は、県級から村級への物流及び流通に適用された場合に最適な効果をもたらす。もちろん、このデータ処理方法は、他の行政区レベルの住所間での物流及び流通にも適用することができる。
【０１００】
図２を参照すると、図２は本願に係る物流及び流通におけるデータを処理する機器の模式図である。装置の実施形態は方法の実施形態に基本的に類似しているので、比較的簡略に説明される。関係する部分については、方法の実施形態の説明の一部を参照することができる。以下で説明される装置の実施形態は、一例に過ぎない。
【０１０１】
本願は物流及び流通におけるデータを処理する機器を提供し、この機器は、
事前設定された期間に物流運送状のデータを受信するよう構成された物流運送状データ取得部２０１と、
物流運送状のデータを分析して、配達物属性情報、配達先住所情報及び時間情報を含む物流運送状の配達情報を取得するよう構成された物流運送状配達情報取得部２０３と、
物流運送状の配達先住所情報と事前設定された行政区レベルの住所に対応する事前設定された集約宛先との間の距離的関係に基づいて物流運送状を集約して物流運送状集合を形成し、各物流運送状集合が１つ以上の物流運送状を含むとともに１つの事前設定された集約宛先に対応するように集約を行うよう構成された物流運送状集合構築部２０５と、
各物流運送状集合に対して、物流運送状集合に含まれる物流運送状の配達情報及び物流運送状集合に対応する事前設定された集約宛先に基づいて宅配業者情報データベースを検査して、事前設定された選別条件を満たす宅配業者を取得するよう構成された宅配業者選別部２０７と、
物流運送状集合の情報を当該物流運送状集合に対して選別された宅配業者へ送信するよう構成された物流運送状集合送信部２０９と、
を備える。
【０１０２】
図３を参照すると、図３は本願に係る物流及び流通におけるデータを処理する電子装置の模式図である。装置の実施形態は方法の実施形態に基本的に類似しているので、比較的簡略に説明される。関係する部分については、方法の実施形態の説明の一部を参照することができる。以下で説明される装置の実施形態は、一例に過ぎない。
【０１０３】
本願は、物流及び流通におけるデータを処理する電子装置を提供し、この電子装置は、表示装置３０１、プロセッサ３０３、及びメモリ３０５を備える。
【０１０４】
メモリ３０５は、データを送信するためのプログラムを記憶するよう構成されており、このプログラムがプロセッサにより読み出され実行された際に以下の動作、すなわち、事前設定された期間に物流運送状のデータを受信することと、物流運送状のデータを分析して配達物属性情報、配達先住所情報、及び時間情報を含む物流運送状の配達情報を取得することと、物流運送状の配達先住所情報と事前設定された行政区レベルの住所に対応する事前設定された集約宛先との間の距離的関係に基づいて物流運送状を集約して物流運送状集合を形成し、各物流運送状集合が１つ以上の物流運送状を含むとともに１つの事前設定された集約宛先に対応するように集約を行うことと、各物流運送状集合に対して、物流運送状集合に含まれる物流運送状の配達情報及び物流運送状集合に対応する事前設定された集約宛先とに基づいて宅配業者情報データベースを検査して、事前設定された選別条件を満たす宅配業者を取得することと、物流運送状集合の情報を当該物流運送状集合に対して選別された宅配業者へ送信することと、宅配業者が物流運送状集合内の物流運送状の配達を受諾するというフィードバック情報を受信することと、を行う。
【０１０５】
図４を参照すると、図４は本願に係る、宅配業者の配達サービスを評価する方法の実施形態のフローチャートである。具体的には、本願で提供される宅配業者の配達サービスを評価する方法は、以下のステップを含む：
Ｓ４０１：宅配業者の物流運送状の配達についての履歴記録情報を取得。
【０１０６】
宅配業者の物流運送状の配達についての履歴記録情報は、関係する物流運送状及び宅配業者のデータベースから取得される。
【０１０７】
例えば、本実施形態では、サードパーティの貨物輸送運転手の物流運送状の配達に関連する履歴記録情報は、関係する物流運送状及び宅配業者のデータベースから取得される。
Ｓ４０３：履歴記録情報に基づき宅配業者の配達行動情報データを取得。
【０１０８】
宅配業者の配達行動情報データは、配達物属性統計データ、配達行動評価データ、及び配達適時性データを含む。例えば、本実施形態では、宅配業者により引き受けられて無事配達された物流運送状などのいくつかの定量的データが取得される。
【０１０９】
配達行動情報データ内の宅配業者が引き受けた物流運送状の量に基づいて宅配業者の運送状の総量が算出される。
【０１１０】
配達行動情報データ内の宅配業者が引き受けた物流運送状の量を累積して、宅配業者の運送状の総量が得られる。
【０１１１】
例えば、本実施形態では、サードパーティの貨物輸送運転手による運送状の総量は１５００である。
Ｓ４０５：配達行動情報データに対し、事前設定された寸法に基づいて分類計算を行って単一クラスの配達行動定量評価値を取得し、各クラスの重みの値を設定。
【０１１２】
まず、配達行動情報データに対し、事前設定された寸法に基づいて分類のための定量的計算を行い、そして各クラスに対して異なる重みの値を設定する。
【０１１３】
配達行動情報データ内の宅配業者により無事配達された物流運送状の量及び宅配業者の運送状の総量に基づいて、宅配業者の運送状当たりの平均配達可能率が算出される。
【０１１４】
宅配業者の運送状の総量に対する配達行動情報データ内の宅配業者により無事配達された物流運送状の量のパーセント比率が算出されて、宅配業者の運送状当たりの平均配達可能率が得られる。
【０１１５】
例えば、本実施形態では、サードパーティの貨物輸送運転手の無事配達された物流運送状の量１２００とサードパーティの貨物輸送運転手の運送状の総量１５００のパーセント比率は８０％であるので、サードパーティの貨物輸送運転手の運送状当たりの平均配達可能率は８０％である。
【０１１６】
宅配業者により無事配達された物流運送状の量を算出する方法は、宅配業者により配達された物流運送状が実際に署名される度に、宅配業者により無事配達された物流運送状の量を１だけインクリメントすることである。
【０１１７】
物流運送状の配達を完了するのに宅配業者が費やした時間及び配達行動情報データ内の無事配達された物流運送状の量に基づいて、宅配業者の運送状当たりの平均完了時間が算出される。
【０１１８】
配達行動情報データ内の宅配業者により無事配達された物流運送状の総量に対する物流運送状の配達を完了するのに宅配業者が費やした合計時間の比率が算出されて、宅配業者の運送状当たりの平均完了時間が得られる。
【０１１９】
宅配業者の運送状当たりの平均完了時間を算出する特定の方法は、宅配業者により配達された物流運送状が実際に署名された時点と宅配業者が物流運送状を引き受けた時点との間の差分を算出して宅配業者の配達完了時間を取得することであり、宅配業者の運送状当たりの平均完了時間を算出する特定の方法は、宅配業者により無事配達された物流運送状の総量に対する宅配業者の配達完了時間の合計の比率を算出して運送状当たりの平均完了時間を取得することである。
【０１２０】
本実施形態では、サードパーティの貨物輸送運転手により無事配達された物流運送状の総量１２００に対する、配達行動情報データ内の物流運送状の配達を完了するのにサードパーティの貨物輸送運転手が費やした合計時間、すなわち６００時間、の比率が算出され、サードパーティの貨物輸送運転手の運送状当たりの平均完了時間が運送状当たり０．５時間であることが得られる。
【０１２１】
宅配業者により無事配達された物流運送状の配達物の価値及び配達行動情報データ内の宅配業者により無事配達された物流運送状の量に基づいて、宅配業者の運送状当たりの平均品物価値が算出される。
【０１２２】
配達行動情報データ内の宅配業者により無事配達された物流運送状の量に対する、宅配業者によって無事配達された物流運送状の配達物の価値の比率が算出されて、宅配業者の運送状当たりの平均品物価値が得られる。
【０１２３】
例えば、本実施形態では、サードパーティの貨物輸送運転手により無事配達された物流運送状の量１２００に対する、サードパーティの貨物輸送運転手によって無事配達された物流運送状の配達物の総価値、すなわち２４０，０００元の比率が算出され、サードパーティの貨物輸送運転手の運送状当たりの平均品物価値が運送状当たり２００元であることが得られる。
【０１２４】
次に、異なるクラスに対して重みの値を設定することは、具体的には宅配業者の運送状の総量の個別スコア及び宅配業者の運送状当たりの平均配達可能率の個別スコアの重みの値を、宅配業者の運送状当たりの平均完了時間の個別スコア及び宅配業者の運送状当たりの平均品物価値の個別スコアの重みの値の４倍に設定すること、を含む。
【０１２５】
例えば、本実施形態では、運送状の総量の個別スコア及び運送状当たりの平均配達可能率の個別スコアの重みの値はともに０．４に設定され、運送状当たりの平均完了時間の個別スコア及び運送状当たりの平均品物価値の個別スコアの重みの値は、０．１に設定される。
Ｓ４０７：単一クラスの配達行動定量評価値及び異なるクラスの重みの値を使って加重計算を行い、宅配業者の配達サービス評価データを取得。
【０１２６】
ステップＳ４０５で算出されたクラスの特定の定量値を使用して、クラスの異なる評価基準に基づいて個別スコアが授与され、加重計算が行われて宅配業者の配達サービス評価データが得られる。合計スコアは宅配業者の配達サービスの評価として使用される。
【０１２７】
包括的採点方法に基づき、宅配業者の運送状の総量、運送状当たりの平均配達可能率、運送状当たりの平均完了時間、及び運送状当たりの平均品物価値に対して対応する評価基準に基づいて個別スコアが授与され、個別スコアに対して異なるクラスの重みの値に基づいて加重加算が行われて合計スコアが得られ、合計スコアが宅配業者の配達サービスの評価として使用される。
【０１２８】
評価基準は、宅配業者の運送状の総量が大きいほど、宅配業者の運送状の総量の個別スコアが高くなること、宅配業者の運送状当たりの平均配達可能率が高いほど、宅配業者の運送状当たりの平均配達可能率の個別スコアが高くなること、宅配業者の運送状当たりの平均完了時間が短いほど、宅配業者の運送状当たりの平均完了時間の個別スコアが高くなること、宅配業者の運送状当たりの平均品物価値が高いほど、宅配業者の運送状当たりの平均品物価値の個別スコアが高くなること、を含む。
【０１２９】
例えば、本実施形態では、包括的採点方法に基づき、物流及び流通システムにおける宅配業者の最も高い運送状の総量３０００をスコア１００の基準として使って、サードパーティの貨物輸送運転手の運送状の総量１５００に対して個別スコアが授与され、運送状の総量の個別スコアが５０であることが得られる。宅配業者の運送状当たりの平均配達可能率１００％をスコア１００の基準として使って、サードパーティの貨物輸送運転手の運送状当たりの平均配達可能率８０％に対して個別スコアが授与され、運送状当たりの平均配達可能率の個別スコアが８０であることが得られる。物流及び流通システムにおける宅配業者の最も高い運送状当たりの平均完了時間である運送状当たり０．２時間をスコア１００の基準として使って、サードパーティの貨物輸送運転手の運送状当たりの平均完了時間に対して個別スコアが授与され、運送状当たりの平均完了時間の個別スコアが４０であることが得られる。物流及び流通システムにおける宅配業者の最も高い運送状当たりの平均品物価値２３５元をスコア１００の基準として使って、サードパーティの貨物輸送運転手の運送状当たりの平均品物価値２００元に対して個別スコアが授与され、運送状当たりの平均品物価値の個別スコアが８５であることが得られる。運送状の総量の個別スコアの重みは０．４であり、運送状当たりの平均配達可能率の個別スコアの重みは０．４であり、運送状当たりの平均完了時間の個別スコアの重みは０．１であり、運送状当たりの平均品物価値の個別スコアの重みは０．１である。これらの個別スコアを重み付きで加算して合計スコア６４．５が得られ、これがサードパーティの貨物輸送運転手の配達評価である。
【０１３０】
図５を参照すると、図５は本願に係る、宅配業者の配達サービスを評価する機器の実施形態の模式図である。装置の実施形態は方法の実施形態に基本的に類似しているので、比較的簡略に説明される。関係する部分については、方法の実施形態の説明の一部を参照することができる。以下で説明される装置の実施形態は、一例に過ぎない。
【０１３１】
本願で提供される宅配業者の配達サービスを評価する機器は、
宅配業者の物流運送状の配達についての履歴記録情報を取得するよう構成された履歴記録情報取得部５０１と、
履歴記録情報に基づき宅配業者の配達行動情報データを取得するよう構成された行動情報データ取得部５０３と、
配達行動情報データに対し、事前設定された寸法に基づいて分類計算を行って単一クラスの配達行動定量評価値を取得し、各クラスの重みの値を設定するよう構成された定量評価値算出部５０５と、
単一クラスの配達行動定量評価値及び異なるクラスの重みの値を使って加重計算を行い、宅配業者の配達サービス評価データを取得するよう構成された配達評価算出部５０７と、
を備える。
【０１３２】
図６を参照すると、図６は本願に係る、宅配業者の携帯端末ベースの物流及び流通の方法の実施形態のフローチャートである。本願で提供される物流及び流通におけるデータを処理する方法に対応して、本願は宅配業者の携帯端末ベースの物流及び流通の方法を提供し、この方法は以下のステップを含む：
Ｓ６０１：宅配業者の携帯端末を使用して、事前設定された物流データセンタにより送信された物流運送状集合の情報を受信。
【０１３３】
事前設定された物流データセンタにより送信され、宅配業者の携帯端末を使用して受信された物流運送状集合の情報は、物流運送状集合内の物流運送状の配達情報及び物流運送状集合に対応する事前設定された集約宛先の情報である。
【０１３４】
宅配業者の携帯端末は、事前設定されたモバイルプラットフォームにアプリケーションソフトの形でインストールされている。例えば、本実施形態では、携帯端末はアンドロイド携帯電話にインストールされた、宅配業者のモバイルアプリケーションプログラムである。
【０１３５】
本実施形態の好ましい解決策では、宅配業者の携帯端末を使用して、事前設定された物流データセンタにより送信された物流運送状集合の情報を受信するステップが行われる前に、遊休状態の公共輸送能力資源を有する運転手が、事前設定された物流データセンタの物流及び流通システムへ参加を申請するため、宅配業者の携帯端末を使用してサードパーティの貨物輸送運転手として登録するための情報を事前設定された物流データセンタへ送信することができる。
【０１３６】
本実施形態の好ましい解決策では、宅配業者の携帯端末を使用して、事前設定された物流データセンタにより送信された物流運送状集合の情報を受信するステップが行われる前に、宅配業者の地理的位置情報を宅配業者の携帯端末を使用して事前設定された物流データセンタへリアルタイムで送信することができる。
Ｓ６０３：宅配業者の携帯端末を使用して、物流運送状集合の情報に対応する運送状受諾情報を事前設定された物流データセンタへ送信。
【０１３７】
物流運送状集合内の物流運送状の配達を受諾する運送状受諾情報は、宅配業者の携帯端末を使用して事前設定された物流データセンタへ送信される。
【０１３８】
運送状受諾情報は、運送状受諾情報が物流運送状集合内の物流運送状の配達が受諾されたことを明確に反映できてさえいれば、１バイトやいくつかの数字など、様々な形態であり得る。
Ｓ６０５：物流運送状集合の受信した情報の中の、物流運送状の配達情報及び物流運送状集合に対応する事前設定された集約宛先の情報に基づいて、物流運送状の配達物の引き取り及び配達のためのデータ処理を実行。
【０１３９】
物流運送状集合の受信した情報の中の物流運送状の配達情報、及び物流運送状集合に対応する事前設定された集約宛先の情報に基づいて、物流運送状の配達物の引き取り、及び物流運送状の配達物を物流運送状の配達先住所又は事前設定された集約宛先へ配達するためのデータ処理が行われる。
【０１４０】
本実施形態では、物流運送状集合の受信した情報の中の、物流運送状集合に含まれる物流運送状の配達情報、及び物流運送状集合に対応する事前設定された集約宛先の情報に基づいて、物流運送状の配達物の引き取り、及び物流運送状の配達物を事前設定された集約宛先へ配達するためのデータ処理を行うことができる。
【０１４１】
本実施形態では、あるいは、物流運送状集合の受信した情報の中の、物流運送状集合に含まれる物流運送状の配達情報に基づいて、物流運送状の配達物の引き取り、及び物流運送状の配達物を物流運送状の配達先住所へ配達するためのデータ処理を行うことができる。
【０１４２】
本実施形態では、物流運送状の受領者が物流運送状に署名できない場合に物流運送状の配達物を当該物流運送状が属する物流運送状集合に対応する事前設定された集約宛先へ配達するためのデータ処理を行うこともできる。
【０１４３】
本実施形態の技術的解決策が、一度での配達成功率の低さの不利益を克服し、多くても１度又は２度の配達を行うことで物流運送状が無事に配達できることを保証することがわかる。このように、物流及び流通の適時性が大幅に改善され、物流及び流通の輸送距離が削減され、運搬用機材の容量の占有が削減されて、配達コストを著しく削減して下位の行政区レベルの住所への物流及び流通における障害を除去する。
【０１４４】
本実施形態の好ましい解決策では、物流運送状集合の受信した情報の中の、物流運送状の配達情報及び物流運送状集合に対応する事前設定された集約宛先の情報に基づいて、物流運送状の配達物の引き取り及び配達のためのデータ処理を行うステップの後に、宅配業者の携帯端末を使用して、物流運送状集合に含まれる物流運送状に対する配達料金の情報を受信することもできる。
【０１４５】
物流及び流通におけるデータを処理する方法と同様に、宅配業者の携帯端末ベースの物流及び流通の方法は、県級から村級への物流及び流通に適用された場合に最適な効果をもたらす。もちろん、この宅配業者の携帯端末ベースの物流及び流通の方法は、他の行政区レベルの住所の間での物流及び流通にも適用することができる。
【０１４６】
図７を参照すると、図７は本願に係る、宅配業者の携帯端末ベースの物流及び流通の機器の実施形態の模式図である。装置の実施形態は方法の実施形態に基本的に類似しているので、比較的簡略に説明される。関係する部分については、方法の実施形態の説明の一部を参照することができる。以下で説明される装置の実施形態は、一例に過ぎない。
【０１４７】
本願で提供される宅配業者の携帯端末ベースの物流及び流通の機器は、
宅配業者の携帯端末を使用して、事前設定された物流データセンタにより送信された物流運送状集合の情報を受信するよう構成された物流運送状集合情報受信部７０１と、
宅配業者の携帯端末を使用して、物流運送状集合の情報に対応する運送状受諾情報を事前設定された物流データセンタへ送信するよう構成された配達予定物流運送状集合送信部７０３と、
物流運送状集合の受信した情報の中の物流運送状の配達情報及び物流運送状集合に対応する事前設定された集約宛先の情報に基づいて、物流運送状の配達物の引き取り及び配達のためのデータ処理を行うよう構成された物流運送状配達部７０５と、
を備える。
【０１４８】
図８を参照すると、図８は本願に係る、宅配業者の携帯端末ベースの物流及び流通の電子装置の実施形態の模式図である。装置の実施形態は方法の実施形態に基本的に類似しているので、比較的簡略に説明される。関係する部分については、方法の実施形態の説明の一部を参照することができる。以下で説明される装置の実施形態は、一例に過ぎない。
【０１４９】
本願で提供される宅配業者の携帯端末ベースの物流及び流通の電子装置は、表示装置８０１、プロセッサ８０３及びメモリ８０５を備える。
【０１５０】
メモリ８０５は、データを送信するためのプログラムを記憶するよう構成されており、このプログラムがプロセッサにより読み出され実行された際に以下の動作、すなわち、宅配業者の携帯端末を使用して、事前設定された物流データセンタにより送信された物流運送状集合の情報を受信すること、宅配業者の携帯端末を使用して、物流運送状集合の情報に対応する運送状受諾情報を事前設定された物流データセンタへ送信すること、物流運送状集合の受信した情報の中の物流運送状の配達情報及び物流運送状集合に対応する事前設定された集約宛先の情報に基づいて、物流運送状の配達物の引き取り及び配達のためのデータ処理の実行、を行う。
【０１５１】
本願は好ましい実施形態を使用して上に開示されたが、好ましい実施形態は本願を制限することを意図するものではない。当業者は、本願の趣旨及び範囲から逸脱することなく、考えうる変更及び改良を行うことが可能である。したがって、本願の保護範囲は、本願の請求項により規定される範囲の影響下とされるべきである。
【０１５２】
典型的な構成では、計算装置は１つ又は複数の中央処理装置（ＣＰＵ）、入力／出力インタフェース、ネットワークインタフェース、及びメモリを備える。
【０１５３】
メモリは、例えば、揮発性メモリ、ランダムアクセスメモリ（ＲＡＭ）、及び／又は読み出し専用メモリ（ＲＯＭ）やフラッシュＲＡＭなどの不揮発性メモリの形態のコンピュータ可読媒体を含んでもよい。メモリは、コンピュータ可読媒体の一例である。
【０１５４】
１．コンピュータ可読媒体には不揮発性及び揮発性の媒体並びに可動型及び固定型の媒体が含まれ、任意の方法又は技術を用いて情報の記憶を行うことができる。情報は、コンピュータ可読命令、データ構造、プログラムモジュール又は他のデータであり得る。コンピュータ記憶媒体の例には、これらに限られないが、相変化メモリ（ＰＲＡＭ）、スタティックランダムアクセスメモリ（ＳＲＡＭ）、ダイナミックランダムアクセスメモリ（ＤＲＡＭ）、若しくは他の種類のＲＡＭ、ＲＯＭ、電気的消去可能な読み出し専用メモリ（ＥＥＰＲＯＭ）、フラッシュメモリ若しくは他のメモリ技術、コンパクトディスク読み出し専用メモリ（ＣＤ−ＲＯＭ）、デジタル多用途ディスク（ＤＶＤ）若しくは他の光学記憶装置、カセットテープ、磁気テープ／磁気ディスク記憶装置若しくは他の磁気記憶装置、又は任意の他の非伝送媒体が含まれ、計算装置がアクセス可能な情報を記憶するのに使用することができる。本明細書における定義によれば、コンピュータ可読媒体には、変調データ信号や搬送波といった一時的媒体は含まれない。
【０１５５】
２．当業者は、本願の実施形態が方法、システム又はコンピュータプログラム製品として提供されうるということを理解されたい。したがって、本願はハードウェア一式の実施形態、ソフトウェア一式の実施形態又はソフトウェアとハードウェアを組み合わせた実施形態の形で実現することができる。さらに、本願は、コンピュータで利用可能なプログラムコードを含む、コンピュータで利用可能な記憶媒体（これらに限られないが、磁気ディスクメモリ、ＣＤ−ＲＯＭ、及び光学メモリを含む）上に実装されたコンピュータプログラム製品の形であり得る。
【図１】
2019513253.tif 000003
【図２】
2019513253.tif 000004
【図３】
2019513253.tif 000005
【図４】
2019513253.tif 000006
【図５】
2019513253.tif 000007
【図６】
2019513253.tif 000008
【図７】
2019513253.tif 000009
【図８】
2019513253.tif 000010
【手続補正書】
【提出日】平成31年1月16日(2019.1.16)
【手続補正２】
【補正対象書類名】特許請求の範囲
【補正対象項目名】全文
【補正方法】変更
【補正の内容】
【特許請求の範囲】
【請求項１】
物流及び流通におけるデータを処理する方法であって、
事前設定された期間に物流運送状のデータを受信することと、
前記物流運送状のデータを分析して、配達先住所情報を含む前記物流運送状の配達情報を取得することと、
前記物流運送状の前記配達先住所情報と事前設定された行政区レベルの住所に対応する事前設定された集約宛先との間の距離的関係に基づいて前記物流運送状を集約して物流運送状集合を形成し、各物流運送状集合が１つ以上の物流運送状を含むとともに１つの事前設定された集約宛先に対応するように、集約することと、
各物流運送状集合に対して、前記物流運送状集合に含まれる前記物流運送状の前記配達情報及び前記物流運送状集合に対応する前記事前設定された集約宛先に基づいて宅配業者情報データベースを検査して、事前設定された選別条件を満たす宅配業者を取得することと、
前記物流運送状集合の情報を前記物流運送状集合に対して選別された前記宅配業者へ送信することと、
を含む方法。
【請求項２】
前記事前設定された行政区レベルの住所が郷級、鎮級、又は村級を含む、請求項１に記載の物流及び流通におけるデータを処理する方法。
【請求項３】
前記事前設定された集約宛先は物流サービスステーションが設置された住所を含み、前記物流サービスステーションは前記物流運送状の配達物を受け取り、保管し、発送するためのサービス組織である、請求項１に記載の物流及び流通におけるデータを処理する方法。
【請求項４】
前記物流運送状の前記配達先住所情報と事前設定された行政区レベルの住所に対応する事前設定された集約宛先との間の距離的関係に基づいて前記物流運送状を集約して物流運送状集合を形成する、前記集約が、
前記物流運送状の前記配達先住所情報と前記事前設定された行政区レベルの住所に対応する前記事前設定された集約宛先との間の距離に基づいて前記物流運送状の配達先住所に最も近い前記事前設定された集約宛先へ物流運送状を集約して物流運送状集合を形成すること、
を含む、請求項１に記載の物流及び流通におけるデータを処理する方法。
【請求項５】
前記宅配業者は前記宅配業者情報データベースに登録された貨物輸送運転手を含み、前記貨物輸送運転手はサードパーティの貨物輸送運転手及び独立経営の貨物輸送運転手を含む、請求項１に記載の物流及び流通におけるデータを処理する方法。
【請求項６】
前記宅配業者情報データベースが、前記宅配業者の地理的位置情報及び前記宅配業者の運搬用機材の属性情報を含むデータベースを含む、請求項１に記載の物流及び流通におけるデータを処理する方法。
【請求項７】
各物流運送状集合に対して、前記物流運送状集合に含まれる前記物流運送状の前記配達情報及び前記物流運送状集合に対応する前記事前設定された集約宛先に基づいて宅配業者情報データベースを検査して、事前設定された選別条件を満たす宅配業者を取得するステップの前に、
前記サードパーティの貨物輸送運転手の登録情報を受信して、前記登録情報内の配達関連情報を前記宅配業者情報データベースへ登録するステップ、
を含む、請求項５に記載の物流及び流通におけるデータを処理する方法。
【請求項８】
前記サードパーティの貨物輸送運転手の前記登録情報は、前記サードパーティの貨物輸送運転手の個人属性情報及び輸送資格情報、並びに前記サードパーティの貨物輸送運転手の運搬用機材の属性情報及び輸送資格情報を含む、請求項７に記載の物流及び流通におけるデータを処理する方法。
【請求項９】
前記登録情報内の前記配達関連情報は前記サードパーティの貨物輸送運転手の運搬用機材の属性情報を含む、請求項７に記載の物流及び流通におけるデータを処理する方法。
【請求項１０】
各物流運送状集合に対して、前記物流運送状集合に含まれる前記物流運送状の前記配達情報及び前記物流運送状集合に対応する前記事前設定された集約宛先に基づいて宅配業者情報データベースを検査して、事前設定された選別条件を満たす宅配業者を取得するステップの前に、
前記宅配業者によりリアルタイムで送信された前記宅配業者の地理的位置情報を受信して、前記宅配業者情報データベース内の前記宅配業者の地理的位置情報を更新すること、
を含む、請求項１に記載の物流及び流通におけるデータを処理する方法。
【請求項１１】
各物流運送状集合に対して、前記物流運送状集合に含まれる前記物流運送状の前記配達情報及び前記物流運送状集合に対応する前記事前設定された集約宛先に基づいて宅配業者情報データベースを検査して、事前設定された選別条件を満たす宅配業者を取得する、前記検査が、
事前設定された距離選別条件に基づき、前記宅配業者の地理的位置情報及び前記物流運送状集合に対応する前記事前設定された集約宛先の情報に基づいて前記宅配業者情報データベースを検査して、距離的に選択可能な宅配業者を取得すること、
を含む、請求項１に記載の物流及び流通におけるデータを処理する方法。
【請求項１２】
前記事前設定された距離選別条件が、前記宅配業者の地理的位置から前記事前設定された集約宛先への距離が事前設定された範囲内となっていることを含む、請求項１１に記載の物流及び流通におけるデータを処理する方法。
【請求項１３】
前記物流運送状の前記配達情報が前記配達物属性情報をさらに含み、各物流運送状集合に対して、前記物流運送状集合に含まれる前記物流運送状の前記配達情報及び前記物流運送状集合に対応する前記事前設定された集約宛先に基づいて宅配業者情報データベースを検査して、事前設定された選別条件を満たす宅配業者を取得する、前記検査が、
事前設定された容積及び重量の選別条件に基づき、前記物流運送状集合に含まれる前記物流運送状の前記配達物属性情報及び運搬用機材の属性情報に基づいて前記距離的に選択可能な宅配業者を選別して、輸送能力的に選択可能な宅配業者を取得すること、
を含む、請求項１１に記載の物流及び流通におけるデータを処理する方法。
【請求項１４】
各物流運送状集合に対して、前記物流運送状集合に含まれる前記物流運送状の前記配達情報及び前記物流運送状集合に対応する前記事前設定された集約宛先に基づいて宅配業者情報データベースを検査して、事前設定された選別条件を満たす宅配業者を取得する、前記検査が、
宅配業者の配達サービスを評価するための事前設定された方法に基づき、宅配業者の配達サービスの評価を取得して、前記輸送能力的に選択可能な宅配業者を前記宅配業者の配達サービスの評価のスコアの降順でランク付けすることと、
前記物流運送状集合内の前記物流運送状の配達物の価値が価値の上限値を上回るかどうか計算して、上回る場合は前記輸送能力的に選択可能な宅配業者の中で第１位に位置付けられる独立経営の貨物輸送運転手を前記宅配業者として選択し、そうでない場合は、前記輸送能力的に選択可能な宅配業者の中で第１位に位置付けられる貨物輸送運転手を前記選別された宅配業者として選択することと、
を含む、請求項１３に記載の物流及び流通におけるデータを処理する方法。
【請求項１５】
前記物流運送状集合の前記情報が、前記物流運送状集合に含まれる前記物流運送状の前記配達情報及び前記物流運送状集合に対応する前記事前設定された集約宛先の情報を含む、請求項１に記載の物流及び流通におけるデータを処理する方法。
【請求項１６】
前記宅配業者が前記物流運送状集合内の前記物流運送状の配達を完了したというフィードバック情報を受信する、前記受信が、前記宅配業者が前記事前設定された集約宛先への前記物流運送状の前記配達物の配達を完了したことを前記フィードバック情報が示す場合は、前記物流運送状の受領者へ、前記事前設定された集約宛先に行って前記物流運送状の前記配達物を受け取るように前記受領者に指示する情報を送信することを含む、請求項１に記載の物流及び流通におけるデータを処理する方法。
【請求項１７】
前記宅配業者が前記物流運送状集合内の前記物流運送状の配達を受諾するというフィードバック情報を受信するステップの後に、
前記宅配業者が前記物流運送状集合内の前記物流運送状の配達を完了したというフィードバック情報を受信すること、
を含む、請求項１に記載の物流及び流通におけるデータを処理する方法。
【請求項１８】
物流及び流通におけるデータを処理する機器であって、
プロセッサと、
メモリであって、前記プロセッサにより実行された際に以下の動作、すなわち、事前設定された期間に物流運送状のデータを受信することと、前記物流運送状のデータを分析して配達先住所情報を含む前記物流運送状の配達情報を取得することと、前記物流運送状の前記配達先住所情報と事前設定された行政区レベルの住所に対応する事前設定された集約宛先との間の距離的関係に基づいて前記物流運送状を集約して物流運送状集合を形成し、各物流運送状集合が１つ以上の物流運送状を含むとともに１つの事前設定された集約宛先に対応するように集約を行うことと、各物流運送状集合に対して、前記物流運送状集合に含まれる前記物流運送状の前記配達情報及び前記物流運送状集合に対応する前記事前設定された集約宛先とに基づいて宅配業者情報データベースを検査して、事前設定された選別条件を満たす宅配業者を取得することと、前記物流運送状集合の情報を前記物流運送状集合に対して選別された前記宅配業者へ送信することと、を行うプログラムを記憶するメモリと、
を備える機器。
【請求項１９】
宅配業者の配達サービスを評価する方法であって、
前記宅配業者の物流運送状の配達についての履歴記録情報を取得することと、
前記履歴記録情報に基づき前記宅配業者の配達行動情報データを取得することと、
前記配達行動情報データに対し、事前設定された寸法に基づいて分類計算を行って単一クラスの配達行動定量評価値を取得し、各クラスの重みの値を設定することと、
前記単一クラスの配達行動定量評価値及び異なるクラスの前記重みの値を使って加重計算を行い、前記宅配業者の配達サービス評価データを取得することと、
を含む方法。
【請求項２０】
前記宅配業者の前記配達行動情報データは、配達物属性統計データ、配達行動評価データ、及び配達適時性データを含む、請求項１９に記載の宅配業者の配達サービスを評価する方法。
【国際調査報告】
2019513253.tif 000011
2019513253.tif 000012
2019513253.tif 000013
2019513253.tif 000014
2019513253.tif 000015
2019513253.tif 000016